(57)【要約】      （修正有）【課題】スマートフォンや、タブレット、デジタルカメラのカメラ部分に貼り付け、高倍率または低倍率のレンズを自由に変更しながら使用することができる高倍率/低倍率顕微鏡拡大レンズを提供する。【解決手段】高倍率/低倍率顕微拡大レンズは、中央に低倍率レンズ１１が嵌め込まれ、内側面に中心穴を有する粘着部材１２が組み合わされる低倍率顕微ユニット１と、中央に高倍率レンズ２１が嵌め込まれる高倍率顕微ユニット２と、低倍率顕微ユニットの一側に凸設される２本のアーム４１と、高倍率顕微ユニットの一側に凸設されるブロック４２、アーム及びブロックに貫設される枢動軸４３を備え、低倍率顕微ユニットと高倍率顕微ユニットとを枢設するように互いに組み合わせる枢設構造４と、を有する。【選択図】図３
0003195419.tif 000002
【実用新案登録請求の範囲】
【請求項１】
中央に低倍率レンズが嵌め込まれ、内側面に中心穴を有する粘着部材が組み合わされる低倍率顕微ユニットと、
中央に高倍率レンズが嵌め込まれる高倍率顕微ユニットと、
前記低倍率顕微ユニットの一側に凸設される２本のアームと、前記高倍率顕微ユニットの一側に凸設されるブロックと、該アーム及びブロックに貫設される枢動軸を備え、該低倍率顕微ユニットと高倍率顕微ユニットとが枢設するように互いに組み合わせる枢設構造と、を有することを特徴とする高倍率/低倍率顕微拡大レンズ。
【請求項２】
前記高倍率顕微ユニットの内側面に中心孔を有する粘着部材が嵌め込まれることを特徴とする請求項１に記載の高倍率/低倍率顕微拡大レンズ。
【請求項３】
前記低倍率顕微ユニットの内側面に凹み部が凹設され、該凹み部に粘着部材が嵌め込まれ、
前記高倍率顕微ユニットの内側面に凹み部が凹設され、該凹み部に粘着部材が嵌め込まれることを特徴とする請求項１または２に記載の高倍率/低倍率顕微拡大レンズ。
【請求項４】
前記ブロックが斜め外側へ延出することを特徴とする請求項１または２に記載の高倍率/低倍率顕微拡大レンズ。
【請求項５】
前記低倍率顕微ユニットと高倍率顕微ユニットとが組み合わされる時、該低倍率顕微ユニットと高倍率顕微ユニットとの間に隙間が形成され、該隙間の幅が粘着部材の高/低倍率顕微ユニットの内側面から突出した厚さより大きいことを特徴とする請求項３に記載の高倍率/低倍率顕微拡大レンズ。
【請求項６】
前記低倍率顕微ユニットが高倍率顕微ユニットに対して、２７０度より大きく３６０度より小さい角度で枢転することを特徴とする請求項５に記載の高倍率/低倍率顕微拡大レンズ。
【請求項７】
前記低倍率顕微ユニットの外側面に人の目デザインが施され、
前記高倍率顕微ユニットの内側面に環状歯リングが形成され、
該低倍率顕微ユニットが高倍率顕微ユニットに組み合わされると、人の目デザインと環状歯リングとを重ね合わせて人間の目のパターンとなること特徴をとする請求項１乃至６に記載の高倍率/低倍率顕微拡大レンズ。
【請求項８】
前記低倍率顕微ユニットにひも穴が形成され、ひもがひも穴を通過して飾りとしながら、後端にイヤホンプラグが設置されること特徴をとする請求項７に記載の高倍率/低倍率顕微拡大レンズ。
【請求項９】
前記低倍率顕微ユニットまたは高倍率顕微ユニットの外周面に粗面及び切欠きが設けられること特徴をとする請求項８に記載の高倍率/低倍率顕微拡大レンズ。
【請求項１０】
前記枢設構造におけるアームの内側面に係合溝が形成され、ブロックの両側にそれぞれ係合凸部が設けられ、該係合凸部が係合溝に係合されること特徴をとする請求項１に記載の高倍率/低倍率顕微拡大レンズ。
【考案の詳細な説明】
【技術分野】
【０００１】
本考案は、特にスマートフォンや、タブレット、カメラに貼り付けて使用する、高倍率または低倍率を自由に変更できる顕微拡大レンズに関するものである。
【背景技術】
【０００２】
科学技術の急速な発展に伴い、人間の生活に多くの利便性を提供できる。例えば、デジタルカメラが普及しているので、現代の人々が手軽にデジタルカメラまたはデジタル一眼カメラを購入できる。更に、スマートフォンやタブレットなどにはカメラが付いていることから、誰でも何処でも何時でも簡単に撮影できる時代となった。また、それらの装置の中で、スマートフォンやタブレットは、通信または通話の機能も備えており、さらに軽量で持ち運びやすいなど様々なメリットを有し、インターネットに接続すれば、映像も簡単にアップロードできる。
【０００３】
しかしながら、それらのスマートフォンやタブレットなどのデジタル装置には、外観、寸法、重さなどに様々な制限があることから、カメラにはパンケーキレンズしか装着できないので、使用時には単に、搭載したソフトウェアにより、近距離または遠距離の撮影しかできない。一方、それらのデジタル装置のカメラに光学電動ズームレンズを装着することができれば、近距離、遠距離、広角度などの撮影も可能となるが、それでも、顕微鏡として使用することはできない。
【０００４】
上記の問題を解決するために、その後、既存の台湾実用新案第Ｍ２４４４７８号の着脱式レンズが開発された。しかしながら、この着脱式レンズも、スマートフォンのカメラ部分に装着すれば、近距離または遠距離の撮影ができると共に、物を拡大して撮影することもできるが、顕微鏡としての機能は備わっていなかった。
【０００５】
さらに、その後、顕微鏡機能付きのカメラを提供するために、図１に示すように、台湾実用新案第Ｍ４４４５２０号の軽量で高倍率の顕微拡大レンズが開発された。この軽量で高倍率の顕微拡大レンズは、本体５１及びカバー５２を備え、該本体５１の中心に高倍率の顕微鏡レンズが嵌め込まれ、該カバー５２の一側が本体５１に枢設され、カバー５２を枢転させると、本体５１の後側に組み合わされる。また、使用時に、その拡大レンズをスマートフォンや、タブレットのカメラ部分に取り付けると、顕微鏡として拡大効果を提供することができる。
【考案の概要】
【考案が解決しようとする課題】
【０００６】
しかしながら、既存の顕微拡大レンズは、顕微鏡レンズしか有しないことから、低倍率/高倍率のレンズを自由に変更することができなく、実習授業用または工業上の観察及び検査に不便であり、改良する必要があった。
【課題を解決するための手段】
【０００７】
本考案にかかる高倍率/低倍率顕微拡大レンズは、
中央に低倍率レンズが嵌め込まれ、内側面に中心穴を有する粘着部材が組み合わされる低倍率顕微ユニット１と、
中央に高倍率レンズが嵌め込まれる高倍率顕微ユニットと、
前記低倍率顕微ユニットの一側に凸設される２本のアームと、前記高倍率顕微ユニットの一側に凸設されるブロックと、該アーム及びブロックに貫設される枢動軸を備え、該低倍率顕微ユニットと高倍率顕微ユニットとが枢設するように互いに組み合わせる枢設構造と、を有するものである。
【０００８】
かかる高倍率/低倍率顕微拡大レンズにおいて、
前記高倍率顕微ユニットの内側面に中心孔を有する粘着部材が嵌め込まれることが好ましい。
【０００９】
かかる高倍率/低倍率顕微拡大レンズにおいて、
前記低倍率顕微ユニットの内側面に凹み部が凹設され、該凹み部に粘着部材が嵌め込まれ、
前記高倍率顕微ユニットの内側面に凹み部が凹設され、該凹み部に粘着部材が嵌め込まれることが好ましい。
【００１０】
かかる高倍率/低倍率顕微拡大レンズにおいて、
前記ブロックが斜め外側へ延出することが好ましい。
【００１１】
かかる高倍率/低倍率顕微拡大レンズにおいて、
前記低倍率顕微ユニットと高倍率顕微ユニットとが組み合わされる時、該低倍率顕微ユニットと高倍率顕微ユニットとの間に隙間が形成され、該隙間の幅が粘着部材の高/低倍率顕微ユニットの内側面から突出した厚さより大きいことが好ましい。
【００１２】
かかる高倍率/低倍率顕微拡大レンズにおいて、
前記低倍率顕微ユニットが高倍率顕微ユニットに対して、２７０度より大きく３６０度より小さい角度で枢転することが好ましい。
【００１３】
かかる高倍率/低倍率顕微拡大レンズにおいて、
前記低倍率顕微ユニットの外側面に人の目デザインが施され、
前記高倍率顕微ユニットの内側面に環状歯リングが形成され、
該低倍率顕微ユニットが高倍率顕微ユニットに組み合わされると、人の目デザインと環状歯リングとを重ね合わせて人間の目のパターンとなることが好ましい。
【００１４】
かかる高倍率/低倍率顕微拡大レンズにおいて、
前記低倍率顕微ユニットにひも穴が形成され、ひもがひも穴を通過して飾りとしながら、後端にイヤホンプラグが設置されることが好ましい。
【００１５】
かかる高倍率/低倍率顕微拡大レンズにおいて、
前記低倍率顕微ユニットまたは高倍率顕微ユニットの外周面に粗面及び切欠きが設けられることが好ましい。
【００１６】
かかる高倍率/低倍率顕微拡大レンズにおいて、
前記枢設構造におけるアームの内側面に係合溝が形成され、ブロックの両側にそれぞれ係合凸部が設けられ、該係合凸部が係合溝に係合されることが好ましい。
【考案の効果】
【００１７】
本考案の高倍率/低倍率顕微拡大レンズによれば、使用時に、低倍率顕微ユニットの内側面の粘着部材がカメラの光軸と対応するように、スマートフォン、タブレット、デジタルカメラのカメラ部分に取り付ければ、物を低倍率で拡大して観察したり撮影したりすることができる。
一方、手動で粘着部材をスマートフォン、タブレット、デジタルカメラのカメラ近傍に張り付けて、高倍率顕微ユニットをカメラの光軸と対応するように調整すると、影像が鮮明となるので、物を高倍率で拡大して観察したり撮影したりすることができる。
【００１８】
さらに、本考案に係る高倍率/低倍率顕微拡大レンズを用いて、授業において生物観察をする場合、または製造した商品を検査する場合には、顕微鏡として影像を拡大させながら写真を撮ることができ、また、スマートフォン３１や、タブレット３２、デジタルカメラ３３を用いてＷＩＦＩを介してインターネットと接続することにより、写真を直ぐにアップロードすることができる。
【図面の簡単な説明】
【００１９】
【図１】既存の軽量で高倍率の顕微拡大レンズを示す斜視図である。
【図２】本考案に係る高倍率/低倍率顕微拡大レンズの外側視斜視図である。
【図３】本考案に係る高倍率/低倍率顕微拡大レンズの内側視斜視図である。
【図４】本考案に係る高倍率/低倍率顕微拡大レンズの断面図である。
【図５】本考案に係る高倍率/低倍率顕微拡大レンズにおいて、低倍率顕微ユニット１と高倍率顕微ユニット２とが組み合わされた状態を示す斜視図である。
【図６】本考案に係る高倍率/低倍率顕微拡大レンズをストラップのように取り付けた状態を示す背面図である。
【図７】本考案に係る高倍率/低倍率顕微拡大レンズにおいて、高倍率顕微ユニットとカメラとの角度を調整する状態を示す部分拡大側面図である。
【図８】本考案に係る高倍率/低倍率顕微拡大レンズの使用状態を示す部分拡大斜視図である。
【図９】本考案に係る高倍率/低倍率顕微拡大レンズをタブレットに使用した状態を示す平面図である。
【図１０】本考案に係る高倍率/低倍率顕微拡大レンズをデジタルカメラに使用した状態を示す側面図である。
【図１１】本考案に係る高倍率/低倍率顕微拡大レンズにより、図８に示す生物を拡大した状態を示す説明図である。
【図１２】本考案に係る高倍率/低倍率顕微拡大レンズにおける他の枢設構造４を示す分解斜視図である。
【考案を実施するための形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図２及び図３に示すように、本考案に係る高倍率/低倍率顕微拡大レンズ１００は、低倍率顕微ユニット１と、高倍率顕微ユニット２と、枢設構造４を有し、該低倍率顕微ユニット１の中央に低倍率レンズ１１が嵌め込まれ、該低倍率顕微ユニット１の内側面に凹み部が凹設されると共に、厚さが該凹み部の深さより厚く、中心穴を有する粘着部材１２が低倍率顕微ユニット１の内側面の凹み部に嵌め込まれる。
一方、前記高倍率顕微ユニット２の中央に高倍率レンズ２１が嵌め込まれ、該高倍率顕微ユニット２の内側面に凹み部が凹設され、厚さが凹み部の深さより厚く、中心穴を有する粘着部材２３が高倍率顕微ユニット２の内側面の凹み部に嵌め込まれる。
前記枢設構造４は、２本のアーム４１と、ブロック４２と、枢動軸４３を備え、該アーム４１及びブロック４２は、低倍率顕微ユニット１と高倍率顕微ユニット２との対向する一端に凸設され、それらアーム４１及びブロック４２に枢動軸４３が貫設される。この構成によれば、低倍率顕微ユニット１が高倍率顕微ユニット２に枢設されると共に、低倍率顕微ユニット１と高倍率顕微ユニット２がそれぞれの内側面を対応するように組み合わせられる。このため、外部の埃が低倍率顕微ユニット１と高倍率顕微ユニット２との間に入らないので、レンズを綺麗にしながら粘着部材１２の粘着性も保持できる。更に、前記ブロック４２はやや斜め外側へ延出することから、低倍率顕微ユニット１が高倍率顕微ユニット２に対して、２７０度より大きく３６０度より小さい角度で枢転することができる。
【００２２】
図４に示すように、低倍率顕微ユニット１の内側面が高倍率顕微ユニット２の内側面と組み合わされると、低倍率顕微ユニット１と高倍率顕微ユニット２との間に隙間が形成され、その隙間の幅は、粘着部材１２の低倍率顕微ユニット１の内側面から突出した厚さより大きいから、低倍率顕微ユニット１と高倍率顕微ユニット２とが組み合わされても高倍率顕微ユニット２が粘着部材１２と接触することはなく、さらに、該粘着部材１２の外径は、高倍率顕微ユニット２の内側面の粘着部材２３の内径より小さいことから、低倍率顕微ユニット１と高倍率顕微ユニット２とが組み合わされても粘着部材１２と粘着部材２３とが互いに接触することはない。
【００２３】
図５及び図６に示すように、本考案に係る高倍率/低倍率顕微拡大レンズ１００における低倍率顕微ユニット１の外側面に人の目デザイン１３が形成され、高倍率顕微ユニット２の内側面に環状歯リング２２が形成され、該低倍率顕微ユニット１が高倍率顕微ユニット２に組み合わせると、人の目デザイン１３がちょうど環状歯リング２２に重なって人間の目のパターンとなる。さらに、低倍率顕微ユニット１にひも穴１４が形成され、ひも１５をひも穴１４に通してスマートフォン３１に結合することにより、ストラップのような機能を持たせることができる。
【００２４】
図７に示すように、本考案に係る高倍率/低倍率顕微拡大レンズ１００において、手動で低倍率顕微ユニット１を高倍率顕微ユニット２に切り替える時は、まず低倍率顕微ユニット１の粘着部材１２をスマートフォン３１のカメラ３の近傍に貼り付け（貼り付け位置は、使用者が判断すればよい）、そして、高倍率顕微ユニット２を枢動軸４３により枢転させてスマートフォン３１のカメラ３との間をθ度の角度となるように、高倍率顕微ユニット２の焦点距離をカメラ３の光軸と対応するように調整すると、像がはっきりと写る。一方、その枢設構造４にラチェット４４が設置されることによって、高倍率顕微ユニット２が低倍率顕微ユニット１に対して無段階で枢転し続けてもよい。
一方、高倍率顕微ユニット２を使用しない場合には、高倍率顕微ユニット２をカメラ３の光軸と対応しないように、枢動軸４３を介して下側へ枢転すると、スマートフォン３１のカメラ３が元々内装したレンズで撮影できる。
【００２５】
図８乃至図１１に示すように、本考案に係る高倍率/低倍率顕微拡大レンズ１００を使用する時は、粘着部材１２をスマートフォン３１や、タブレット３２、デジタルカメラ３３のカメラ３０部分に貼り付ける。
図８に示すように、高倍率顕微ユニット２の焦点距離を枢動軸４３によりカメラ３の光軸と対応するように調整し、本考案のレンズ１００を高倍率の顕微鏡にすると、影像を拡大して観察したり撮影したりすることができる。
図９及び図１０に示すように、低倍率顕微ユニット１の粘着部材１２をタブレット３２またはデジタルカメラ３３のカメラ３０部分に貼り付けると、低倍率の顕微鏡として影像を拡大して（図１１の如く）観察または撮影することができる。
【００２６】
また、図８乃至図１０に示すように、その低倍率顕微ユニット１には更にひも穴１４が形成され、そのひも穴１４にひも１５を通して後端にイヤホンプラグ６が設置され、該イヤホンプラグ６がスマートフォン３１またはタブレット３２のイヤホンジャックの穴に挿し込まれ（図８及び図９の如く）、或いはひも１５の後端がデジタルカメラ３３に掛ける（図１０の如く）。
故に、本考案の顕微拡大レンズ１００の持ち運びが楽になると共に、スマートフォン３１や、タブレット３２、デジタルカメラ３３にも適用できることから、余計なコストがかからなく、且つ、装着する装置に如何なる影響も及ぼさずに、本考案の顕微拡大レンズにより撮影に楽しむことができる。
【００２７】
本考案に係る高倍率/低倍率顕微拡大レンズ１００の展開や組み合わせをし易くするために、低倍率顕微ユニット１の外周面に粗面１６が設けられると共に、高倍率顕微ユニット２の外周面に粗面２４及び切欠き２５が設けられることから、指と粗面１６、２４との間の摩擦力が高まり、指がスリット２５を介して高倍率顕微ユニット２を低倍率顕微ユニット１から展開しやすくなり、、使用上に利便性を向上させる。
【００２８】
図１２に示すように、枢設構造４におけるアーム４１の内側面に係合溝４５が形成されると共に、ブロック４２の両側にそれぞれ係合凸部４６が設けられ、該係合凸部４６が係合溝４５に係合される。この構成によれば、低倍率顕微ユニット１が高倍率顕微ユニット２に対して１８０度に展開すると、低倍率顕微ユニット１が高倍率顕微ユニット２に対してさらに展開することができなくなる。
【００２９】
本考案に係る高倍率/低倍率顕微拡大レンズ１００によれば、授業での生物観察や、工業での製造した商品を細かく検査などにおいて、顕微鏡として影像を拡大して写真を撮ることができ、さらに、スマートフォン３１、タブレット３２、デジタルカメラ３３を用いてWiFiを介してインターネットと接続することにより、写真を直ぐにアップロードすることができる。
【００３０】
このように、本考案に係る高倍率/低倍率顕微拡大レンズ１００によれば、高倍率/低倍率の顕微鏡レンズを自由に変更することができ、影像を高倍率または低倍率に拡大して撮影し、すぐにインターネットと接続してアップロードすることができる。
【符号の説明】
【００３１】
１００    高倍率/低倍率顕微拡大レンズ
１        低倍率顕微ユニット
１１      低倍率レンズ
１２      粘着部材
１３      人の目デザイン
１４      ひも穴
１５      ひも
１６      粗面
２        高倍率顕微ユニット
２１      高倍率レンズ
２２      環状歯リング
２３      粘着部材
２４      粗面
２５      切欠き
３        カメラ
３１      スマートフォン
３２      タブレット
３３      デジタルカメラ
４        枢設構造
４１      アーム
４２      ブロック
４３      枢動軸
４４      ラチェット
４５      係合溝
４６      係合凸部
５１      本体
５２      カバー
６        イヤホンプラグ
θ        角度
【図１】
0003195419.tif 000003
【図２】
0003195419.tif 000004
【図３】
0003195419.tif 000005
【図４】
0003195419.tif 000006
【図５】
0003195419.tif 000007
【図６】
0003195419.tif 000008
【図７】
0003195419.tif 000009
【図８】
0003195419.tif 000010
【図９】
0003195419.tif 000011
【図１０】
0003195419.tif 000012
【図１１】
0003195419.tif 000013
【図１２】
0003195419.tif 000014